(57)【要約】【課題】回転体と画像表示装置との双方を用いて画像を表示する場合に、画像の視認性を低下することなく、多種にわたる図柄表示を行う。【解決手段】外形が略中空円柱形状に形成された回転体２１と、回転体２１の外周面上に周方向に並べて複数配置された液晶表示装置（画像表示装置）２２とを備える。回転体２１上には開口部２１ｂが形成されており、この開口部２１ｂ上に液晶表示装置２２が配置されている。液晶表示装置２２のバックライト２２ａは、回転体２１の内周側に配置されており、液晶表示装置２２のバックライト２２ａ以外の部分が回転体２１上に配置されている。【選択図】図２
2009183492.tif 000002
【特許請求の範囲】
【請求項１】
外形が略円柱形状又は略多角注形状に形成された回転体と、
前記回転体の外周面上に周方向に並べて複数配置され、液晶表示装置、エレクトロルミネッセンス、又は複数の発光素子を縦横に並べて配置したドット表示装置からなる画像表示装置と
を備えることをことを特徴とする表示装置。
【請求項２】
請求項１に記載の表示装置において、
前記回転体は、略中空円柱形状又は略中空多角注形状に形成されているとともに、所定の部材に回転自在に支持されており、
前記画像表示装置は、前記液晶表示装置であり、
前記回転体の前記液晶表示装置が配置される一部は、開口となっているか、又は透明若しくは半透明に形成され、
前記液晶表示装置のバックライトは、前記回転体の内周側に配置されているとともに、支持部材に固定されている
ことを特徴とする表示装置。
【請求項３】
請求項１に記載の表示装置において、
前記回転体は、略中空円柱形状又は略中空多角注形状に形成されているとともに、所定の部材に回転自在に支持されており、
前記画像表示装置は、前記液晶表示装置であり、
前記液晶表示装置のバックライトは、前記回転体の外周面上において前記液晶表示装置の下層に設けられている
ことを特徴とする表示装置。
【請求項４】
請求項１に記載の表示装置において、
前記画像表示装置は、平板状に形成されるとともに可撓性を有し、
前記画像表示装置が前記回転体の外周面に貼付されたときは、前記画像表示装置の下面が前記回転体の外周面と略同一の曲率を有して貼付される
ことを特徴とする表示装置。
【請求項５】
請求項１に記載の表示装置において、
前記画像表示装置の下面は、前記回転体の外周面と略同一の曲率を有するように形成されている
ことを特徴とする表示装置。
【請求項６】
請求項１に記載の表示装置において、
前記回転体には、中空の回転軸が設けられており、
各前記画像表示装置に接続された電線は、前記回転軸内を通り外部に導出されている
ことを特徴とする表示装置。
【請求項７】
請求項１に記載の表示装置において、
前記画像表示装置の画像表示を制御するための画像表示制御基板を備え、
前記画像表示制御基板は、前記回転体の内周側に固定されている
ことを特徴とする表示装置。
【請求項８】
請求項１に記載の表示装置において、
前記画像表示装置の画像表示を制御するための画像表示制御基板と、
前記画像表示制御基板と電気的に接続され、前記画像表示制御基板、及び前記画像表示装置に電力を供給するための電源と
を備えることを特徴とする表示装置。
【請求項９】
請求項１に記載の表示装置において、
前記回転体に固定され、前記画像表示装置に電力を供給するためのバッテリと、
前記バッテリの充電を行うための電源と
を備え、
前記回転体の停止中は、前記バッテリと前記電源とが電気的に接続されて前記電源によって前記バッテリの充電を行うとともに、前記回転体の回転中は、前記バッテリと前記電源とが非接触となるように形成されている
ことを特徴とする表示装置。
【請求項１０】
請求項１に記載の表示装置において、
前記画像表示装置の画像表示を制御するための画像表示制御基板を備え、
前記画像表示制御基板は、前記回転体の停止中と回転中とで、又は前記回転体の回転前後で、少なくとも１つの前記画像表示装置の画像を変化させるように制御する
ことを特徴とする表示装置。
【請求項１１】
請求項１０に記載の表示装置において、
前記画像表示制御基板は、前記回転体の回転中と停止中とで、又は前記回転体の回転前後で、特定方向からの視認領域における前記画像表示装置の画像を変化させるように制御する
ことを特徴とする表示装置。
【請求項１２】
請求項１に記載の表示装置において、
前記回転体の回転中心部に連結され、前記回転体の回転及び停止を行うためのモータを備える
ことを特徴とする表示装置。
【請求項１３】
請求項１２に記載の表示装置において、
前記モータの駆動を制御する駆動制御基板を備え、
前記駆動制御基板は、前記回転体の回転開始のコマンドを受信したときは前記モータの回転を開始するように制御するとともに、前記回転体の停止のコマンドを受信したときは前記モータの回転を停止させるように制御する
ことを特徴とする表示装置。
【請求項１４】
請求項１３に記載の表示装置において、
前記表示装置の操作者によって操作され、前記回転体の回転開始のコマンド、又は前記回転体の停止のコマンドの少なくとも一方を、前記駆動制御基板に送信するための操作手段を備える
ことを特徴とする表示装置。
【請求項１５】
請求項１４に記載の表示装置において、
前記操作手段の操作が行われたときに、前記回転体の停止可能位置及び停止不可位置を決定する抽選手段を備え、
前記駆動制御手段は、前記抽選手段による抽選結果に基づいて、前記回転体の停止のコマンドを受信したときに、前記回転体を所定位置に停止するように制御するとともに、
前記画像表示制御基板は、前記抽選手段による抽選結果に基づいて、前記回転体の回転中と停止中とで、又は前記回転体の回転前後で、前記画像表示装置に表示される画像を変化させるように制御する
ことを特徴とする表示装置。
【発明の詳細な説明】
【技術分野】
【０００１】
本発明は、所定の動力によって回転される回転体の外周面に、液晶表示装置やエレクトロルミネッセンス等の画像表示装置を配置した表示装置に関するものである。
【背景技術】
【０００２】
従来より、略円柱形状の回転体（「リール」とも称される。）の外周面に複数種類の図柄を並べて表示し（例えば、図柄を表示したテープを回転体の外周面に貼付し）、その回転体を回転させることで、回転前後において、見える図柄を変化させるようにした表示装置が知られている。
しかし、回転体に複数の図柄を表示しただけでは、表示した図柄の数しか変化させることができない。そこで、回転体の前方に、透明（後方の回転体が目視可能な）液晶表示装置を配置し、回転体の回転による図柄の変化と、液晶表示装置による画像表示とを組み合わせたものが知られている（例えば、特許文献１参照）。
【特許文献１】特開２００７−２６８１７３号公報
【発明の開示】
【発明が解決しようとする課題】
【０００３】
しかし、前述の特許文献１の技術において、回転体の回転中に、同時に液晶表示装置による画像表示を行うと、回転体の回転中における図柄の視認性が低下する。したがって、液晶表示装置による画像表示は、回転体の停止中にのみ行うことに限定されるという問題がある。このため、回転体の回転中における図柄の移動表示と、液晶表示装置による画像表示とは、別個独立して行われ、両者が一体となった表示ではないという問題がある。
【０００４】
また、回転体の前方に透明液晶表示装置を配置しても、その後方に位置する回転体の図柄は目視可能である。しかし、透明液晶表示装置といっても完全な透明体ではないので、回転体の図柄の視認性が低下することは避けられないという問題がある。
【０００５】
したがって、本発明が解決しようとする課題は、回転体と画像表示装置との双方を用いて画像を表示する場合に、画像の視認性を低下することなく、多種にわたる図柄表示を行うことである。
【課題を解決するための手段】
【０００６】
本発明は、以下の解決手段によって、上述の課題を解決する。
本発明の１つである請求項１に記載の発明は、外形が略円柱形状又は略多角注形状に形成された回転体と、前記回転体の外周面上に周方向に並べて複数配置され、液晶表示装置、エレクトロルミネッセンス、又は複数の発光素子を縦横に並べて配置したドット表示装置からなる画像表示装置とを備えることをことを特徴とする。
また、請求項２に記載の発明は、請求項１に記載の表示装置において、前記回転体は、略中空円柱形状又は略中空多角注形状に形成されているとともに、所定の部材に回転自在に支持されており、前記画像表示装置は、前記液晶表示装置であり、前記回転体の前記液晶表示装置が配置される一部は、開口となっているか、又は透明若しくは半透明に形成され、前記液晶表示装置のバックライトは、前記回転体の内周側に配置されているとともに、支持部材に固定されていることを特徴とする。
さらにまた、請求項４に記載の発明は、請求項１に記載の表示装置において、前記画像表示装置は、平板状に形成されるとともに可撓性を有し、前記画像表示装置が前記回転体の外周面に貼付されたときは、前記画像表示装置の下面が前記回転体の外周面と略同一の曲率を有して貼付されることを特徴とする。
【０００７】
（作用）
上記発明においては、回転体の外周面に表示される図柄は、液晶表示装置等の画像表示装置によって表示される。このため、回転体の図柄は、多種に変化可能となる。また、画像表示装置として液晶表示装置を用いた場合（請求項２）には、液晶表示装置のバックライトを回転体内に配置することが可能となる。さらにまた、画像表示装置として可撓性を有する場合には、回転体の外周と略同一曲率で回転体上に設けることができる。
【発明の効果】
【０００８】
上記発明によれば、回転体と画像表示装置との双方を用いて画像を表示する場合に、画像の視認性を低下することなく、多種にわたる図柄表示を行うことができる。
【発明を実施するための最良の形態】
【０００９】
以下、図面等を参照して、本発明の実施形態について説明する。なお、本発明において、「画像」とは、静止画及び動画（映像）の双方を含む意味で使用する。
（第１実施形態）
図１は、第１実施形態における表示装置１０の一部の構成を示す図であり、（ａ）は外観図、（ｂ）は回転体２１の内部が見えるように図示した正面図である。
図１において、表示装置１０は、回転体２１と、複数の画像表示装置２２とを備える。
【００１０】
回転体２１は、本実施形態では、樹脂材料からなり、略中空円柱形状に形成されている。回転体２１の中心部には、空中円柱形状の回転軸部２１ａが形成されている。
また、画像表示装置２２は、回転体２１の外周面において、周方向に等間隔で並べて配置されている。本実施形態では、１０個の画像表示装置２２が等間隔で並べられることにより、回転体２１の外周を１周している。画像表示装置２２は、本実施形態では、透過型の液晶表示装置（フルカラーＴＦＴ）である。
【００１１】
さらにまた、モータ２３は、本実施形態ではステッピングモータであり、固定台２４に固定されている。そして、モータ２３の回転軸２３ａと、回転体２１の回転軸部２１ａとが連結されることにより、回転体２１は、モータ２３によって回転自在に支持されている。なお、回転体２１は、回転してもモータ２３や固定台２４に干渉することはない。
さらに、回転体２１の内周面側には、画像表示制御基板２５が固定されている。画像表示制御基板２５は、全ての画像表示装置２２と電気的に接続されている。
【００１２】
図２は、回転体２１と画像表示装置２２等を分解して示す斜視図である。図２に示すように、回転体２１の外周面において、画像表示装置２２が取り付けられる部分には、略四角形状の開口部２１ｂが形成されている。
本実施形態において、画像表示装置２２は、対角が約２〜３インチ程度であり、開口部２１ｂは、それよりもやや小さい大きさに（開口部２１ｂ上に画像表示装置２２を載置したときに、画像表示装置２２と回転体２１の一部とが接触して両者を接着可能に）形成されている。
なお、開口部２１ｂは、回転体２１の形成後に切削で形成しても良いが、略はしご形状に形成された部材の両端を接続し、外形を略円柱形状したものであっても良い。
【００１３】
また、画像表示装置２２は、全ての部品が回転体２１の外周面上に配置されているのではなく、画像表示装置２２のうち、バックライト２２ａを除く部分、すなわち偏光フィルタ、ガラス基板、透明電極、配向膜、液晶、スペーサ、カラーフィルタの部分が回転体２１の外周面に配置され、バックライト２２ａのみ、回転体２１の内部に配置されている。
【００１４】
図２の例では、全ての画像表示装置２２に対して照光するために、バックライト２２ａは、円筒形状に形成されている。
また、バックライト２２ａは、図示しないが、図１で示した固定台２４に固定され、回転体２１の回転によっても回転しないように形成されている。このように、回転体２１の内周側にバックライト２２ａを配置しても、開口部２１ｂを通して光を画像表示装置２２の偏光フィルタに入射することができる。
なお、回転体２１を透明又は半透明材料から形成することにより、バックライト２２ａの光を回転体２１の内周側から外周側に透過できれば、開口部２１ｂは不要である。
【００１５】
また、図３は、バックライト２２ａの形状を示す側面の断面図である。図３中、（ａ）は、図２のものを示している。図３（ａ）、すなわち図２のように、バックライト２２ａを略円柱形状に形成しても良いが、図３（ｂ）に示すように、一部分にのみバックライト２２ａを形成しても良い。
図３（ｂ）の例では、表示装置１０のうち、回転体２１及び画像表示装置２２を含む部分が筐体２６に収納されている。なお、図１で示したモータ２３や固定台２４等は、筐体２６の内外のいずれであっても良い。
【００１６】
図３（ｂ）において、筐体２６は、前面（図３（ｂ）中、左側）に開口面２６ａを有する。そして、回転体２１上の画像表示装置２２は、上下に連続する３個が開口部２６ａから露出する（筐体２６の前面から見える）ように形成されている。この場合に、バックライト２２ａは、全ての画像表示装置２２を照光する必要はなく、外部に見える３個の画像表示装置２２を照光できれば十分である。このため、図３（ｂ）に示すバックライト２２ａは、略円弧形状に形成され、３個の画像表示装置２２のみを照光する形状に形成されている。
【００１７】
図４は、表示装置１０の電源や基板等の配置を示す正面の断面図であり、図５は、表示装置１０のブロック図である。
図５において、モータ２３は、駆動制御基板２９に電気的に接続され、この駆動制御基板２９によって回転及び停止が制御される。駆動制御基板２９には、電源３０によって電力が供給される。また、電源３０は、モータ２３に対しても電力を供給する。
【００１８】
また、バックライト２２ａには、電源３０から電力が供給される。
一方、画像表示装置２２は、画像表示制御基板２５と電気的に接続され、画像表示制御基板２５によってその画像表示が制御される。
【００１９】
ここで、画像表示制御基板２５及び画像表示装置２２には、電力を供給する必要があるが、画像表示制御基板２５及び画像表示装置２２は、回転体２１の回転に伴って回転するので、固定された電源と接続して電力を供給すると、電線がねじれてしまう。そこで、本実施形態では、回転体２１の回転中心部にバッテリ２７を配置している（図４参照）。また、このバッテリ２７に対して接触／非接触状態となることが可能な可動式の電源２８を設けている。そして、回転体２１の停止中には、バッテリ２７と電源２８とが電気的に接続され、電源２８によってバッテリ２７を充電する。一方、回転体２１の回転中は、電源２８がバッテリ２７から離れ、非接触となる。
【００２０】
以上のように構成すれば、電線がねじれることなく、回転体２１の回転中においても、画像表示制御基板２５、及び画像表示制御基板２５を介して画像表示装置２２にも電力を供給することができ、所定の画像を表示することができる。
なお、バッテリ２７と電源２８との接触面が耐磨耗性を有せば、両者を常時接続しておく（回転中に電源２８を退避させない）ようにしても良い。
【００２１】
なお、本実施形態では、バックライト２２ａを固定としたが、例えば回転体２１の内周面に沿って回転体２１と一体でバックライト２２ａを配置し、回転体２１の回転に伴ってバックライト２２ａも同時に回転するように形成した場合には、画像表示制御基板２５を介してバッテリ２７とバックライト２２ａとを電気的に接続し、バックライト２２ａの電力の供給をバッテリ２７により行えば良い。
【００２２】
また、図５に示すように、回転体２１の位置は、位置検出センサ３１によって検出され、駆動制御基板２９は、その検知結果に基づいて、モータ２３を駆動制御する。図示しないが、回転体２１には、検知子が形成されており、回転体２１が１回転するごとに、検知子が位置検出センサ３１によって検知されるように構成されている。そして、駆動制御基板２９は、位置検出センサ３１の検知結果と、位置検出センサ３１を検知した時点からのモータ２３のステップ数をカウントすることにより、回転体２１の現在の位置を知ることができる。これにより、駆動制御基板２９は、モータ２３を駆動制御して、回転体２１を所望の位置に停止させることができる。
【００２３】
続いて、画像表示装置２２による画像表示例を説明する。
画像表示制御基板２５は、画像表示のための画像データをＲＯＭ等に記憶している。例えば、最初にデフォルトで、各画像表示装置２２ごとに、特定の図柄を画像表示しておき、図柄を変化させるための条件を満たしたときに、画像データを読み出し、少なくとも１つの画像表示装置２２の画像表示を変化させるように制御する。
【００２４】
画像表示の変化としては、
（１）図柄（背景を含む。以下同じ。）の点灯、点滅、消灯を行う。
（２）図柄の色彩を変化させる。
（３）図柄の大きさを変化させる。
（４）瞬時に、又は消灯若しくは点灯後に異なる図柄に変化させるか、又は消灯若しくは点灯後に同一図柄を表示する。
（５）図柄を動かす（動画の表示）。
【００２５】
（６）１つの画像表示装置２２と、他の１つの画像表示装置２２とで、連動して一連の又は関連する画像を表示する。例えば回転体２１を１つ設けた場合において、図３（ｂ）に示すように、上下に連続する３つの画像表示装置２２を見えるように配置した場合には、これら３つの画像表示装置２２で、連動して一連の又は関連する画像を表示する。あるいは、回転体２１を並列に複数配置した場合（後述する図１１参照）には、１つの回転体２１上の少なくとも１つの画像表示装置２２と、他の１つの回転体２１上の少なくとも１つの画像表示装置２２とで、連動して一連の又は関連する画像を表示する。
【００２６】
（７）１つの回転体２１の全ての画像表示装置２２において、同一の図柄を表示することで、回転中においても、１つの図柄しか見えないように表示する。
（８）１つの回転体２１の回転中において、各画像表示装置２２に少しずつ変化する図柄を表示して、見る者に対して動画の感覚を与える。
【００２７】
図６は、表示装置１０の配置例を示す図である。例えば、図６に示すように、回転体２１の回転軸が上下になるように表示装置１０を配置する。回転体２１は、回転軸３２により図中、上下方向には移動不能に、かつ回転自在に支持されている。そして、回転体２１を、上方から見て時計回りに回転させる。これを用いてコメント等の画像表示が可能となる。なお、図６では、１０個の画像表示装置２２が設けられているものとする。
【００２８】
例えば、表示装置１０をスーパーに設置した場合において、回転体２１をゆっくりと回転させつつ、各画像表示装置２２に１文字ずつ、例えば「き」「ょ」「う」「は」「お」「肉」「の」「特」「売」「日」「で」「す」「。」と画像表示する。ここで、画像表示装置２２が１０個であるときは、「き」から「日」までを異なる画像表示装置２２で画像表示することができる。そして、最初の「き」と表示した画像表示装置２２が１回転して前面に戻ってくるまでの間に（例えば真後ろの位置に配置されたときに）、「き」を「で」に変化させるように制御する。同様に、２番目の「ょ」を「す」に変化させるように制御する。このようにすれば、１０個の画像表示装置２２を用いて、１０文字を超えるコメント等であっても表示が可能となる。
【００２９】
なお、図６の場合には、モータ２３で回転体２１を回転させても良いが、他の動力を利用することも可能である。例えば空調装置の近くに表示装置１０を設置し、空調装置からの風が回転体２１に常に当たるようにすれば、回転体２１を駆動力なく風のみで回転させ続けることも可能である。
また、図６のように回転体２１を１つ設ける場合には、モータ２３は、回転体２１の内側に配置されるように（図１（ｂ）に示すように）配置しても良く、あるいは、回転体２１の外側に配置されるようにしても良い。
【００３０】
（第２実施形態）
図７は、画像表示装置２２を回転体２１に取り付ける（貼り付ける）ときの第２実施形態を示す図である。第１実施形態では、図２に示すように、１つ１つ独立した画像表示装置２２を回転体２１に取り付けたが、図７の場合は、取り付けるべき複数の画像表示装置２２を、予め１枚の帯状のシート３３に設けておき、これを回転体２１の外周に貼り付けるようにしたものである。このように画像表示装置２２を取り付ければ、容易に回転体２１に取り付けることができ、組立時間を削減することができる。
なお、図７では、画像表示装置２２は７個の場合を図示しているが、この個数に限られるものではない。また、図７では、図２と異なり、開口部２１ｂは省略している。
【００３１】
（第３実施形態）
図８及び図９は、図７のように１枚のシート３３に画像表示装置２２を形成したときの画像表示装置２２の配線を示す図である。
先ず図８（ａ）では、各画像表示装置２２から電線３４をシート３３外に引き出すとともに、その外側で１本の電線３４に束ねたものを示している。
また、図８（ｂ）では、各画像表示装置２２から電線３４をシート３３の裏面側に引き出すとともに、シート３３の裏面上において１本の束ねた電線３４に形成したものである。
【００３２】
さらにまた、図９では、図８（ａ）の場合において、各画像表示装置２２と、１本に束ねた電線３４との間に、コネクタ３５（画像表示装置２２側が凹コネクタ３５ａ、電線３４側が凸コネクタ３５ｂ）を設けたものである。
画像表示装置２２と電線３４とを接合する際に、接合不良が発生するおそれがある場合には、全ての画像表示装置２２を１つの電線３４を繋ぐと、歩溜まり低下の原因となってしまうおそれがあるため、図９のようにコネクタ３５で接続する。そして、不良が発生した場合には、個々の画像表示装置２２を交換できるようにする。
【００３３】
（第４実施形態）
上記各実施形態では、画像表示装置２２と画像表示制御基板２５は、いずれも、回転体２１に取り付けられている。これに対し、画像表示装置２２の電線を外部に引き出し、画像表示制御基板２５を回転体２１とともに回転させないことも可能である。
図１０は、この場合の電線の配線を示す図である。先ず、図１０（ａ）の場合には、個々の画像表示装置２２から出る電線３４を、回転体２１の中心部に集約する。そして、回転体２１の回転中心部に、中空円柱部２１ｃを設け、この中空円柱部２１ｃの内部に電線３４を通し、外部に送り出すようにしたものである。
【００３４】
また、図１０（ｂ）の場合には、図８や図９で示したように、個々の画像表示装置２２の電線３４を１本に束ねるとともに、中空円柱部２１ｃ内にその電線３４を通し、外部に送り出すようにしたものである。
【００３５】
なお、画像表示装置２２は、常に回転体２１側に取り付けられるが、画像表示制御基板２５を回転体２１の外部で固定した場合（回転体２１とともに回転しないようにした場合）には、回転体２１が回転すればするほど、画像表示装置２２と画像表示制御基板２５との間を接続している電線３４がねじれてしまう。これを回避するためには、回転体２１の回転数が所定数に到達したときは、回転体２１を逆回転させてねじれを解消すること等が挙げられる。また、例えば、１回転目は正回転、２回転目は逆回転、３回転目は正回転、・・・というように、正回転と逆回転とを交互に行うことが挙げられる。
【００３６】
（第５実施形態）
第５実施形態では、回転体２１の回転と、画像表示装置２２による画像表示とを連動させるようにしたものであり、例えば遊技機に適用することができる。
図１１は、３つの表示装置１０（表示装置１０Ａ、１０Ｂ、及び１０Ｃ）を並設した遊技機を示す図である。各表示装置１０の各画像表示装置２２には、図柄が表示されている。そして、３つの回転体２１を回転させ、停止させたときに、ラインＬに停止した図柄の組合せが所定の図柄の組合せであるとき、例えば「７」−「７」−「７」となったときは、その図柄の組合せに応じた利益（例えば所定枚数のメダルの払い出し）が行われるものである。
なお、図１１のように複数の回転体２１を近づけて配置する場合には、個々のモータ２３は、図１（ｂ）に示すように、回転体２１の内部に配置することが好ましい。
【００３７】
図１２は、第５実施形態である遊技機のブロック図を示す図である。なお、表示装置１０Ａの各構成には添字Ａを付し、表示装置１０Ｂの各構成には添字Ｂを付し、表示装置１０Ｃの各構成には添字Ｃを付している。
図１２において、制御基板５０は、基板の中で最も上位に位置し、遊技全体を統括制御する基板であり、各表示装置１０Ａ〜１０Ｃの駆動制御基板２９Ａ〜２９Ｃ、及び画像表示制御基板２５Ａ〜２５Ｃと電気的に接続されている。また、図５と異なり、各バックライト２２ａＡ〜２２ａＣは、それぞれ画像表示制御基板２５Ａ〜２５Ｃと電気的に接続されている。
また、スタートボタン４０、及びストップボタン４１Ａ〜４１Ｃは、制御基板５０と電気的に接続されている。
【００３８】
遊技者によりスタートボタン４０が操作（オン）されると、その信号が制御基板５０に入力される。制御基板５０は、この信号を受信すると、全ての駆動制御基板２９Ａ〜２９Ｃに対し、モータ２３Ａ〜２３Ｃの駆動を開始すべきコマンドを送信する。これにより、駆動制御基板２９Ａ〜２９Ｃは、それぞれモータ２３Ａ〜２３Ｃを駆動し、各回転体２１を回転させるように制御する。
なお、各駆動制御基板２９Ａ〜２９Ｃは、上述したように、現在、回転体２１がどの位置にいるかを把握することができる。
【００３９】
また、各画像表示制御基板２５Ａ〜２５Ｃには、画像表示装置２２にデフォルトとして表示すべき画像データが記憶されており、各画像表示制御基板２５Ａ〜２５Ｃは、画像表示装置２２Ａ〜２２Ｃを制御して、所定の図柄を画像表示するように制御する。
また、スタートボタン４０が操作されたときに、制御基板５０は、抽選を行う。例えば制御基板５０は、電源が投入されている間は、常時、乱数を発生させており、スタートボタン４０が操作された旨の信号を受信した時に、乱数を抽出する。そして、抽出した乱数に基づき、停止可能な図柄の組合せと停止不可な図柄の組合せとを判定する。
【００４０】
次に、遊技者によりストップボタン４１Ａ〜４１Ｃが操作されると、その信号が制御基板５０に入力される。制御基板５０は、この信号を受信すると、操作されたストップボタン４１Ａ〜４１Ｃに対応する駆動制御基板２９Ａ〜２９Ｃ（例えば、ストップボタン４１Ａが操作されたときは、駆動制御基板２９Ａ）に対し、モータ２３Ａ〜２３Ｃの駆動を停止すべきコマンドを送信する。これにより、駆動制御基板２９Ａ〜２９Ｃは、それぞれモータ２３Ａ〜２３Ｃの駆動を停止し、回転体２１を停止させるように制御する。
【００４１】
さらに、制御基板５０は、上記の抽選結果に基づいて、回転体２１の停止可能な位置及び停止不可な位置に係る情報を駆動制御基板２９Ａ〜２９Ｃに送信する。そして、駆動制御基板２９Ａ〜２９Ｃは、ストップボタン４１Ａ〜４１Ｃが操作された瞬間のラインＬ上に位置する画像表示装置２２の図柄に基づいて停止位置を決定し、その決定した位置に回転体２１を停止させる。
【００４２】
例えば、抽選の結果、「７」−「７」−「７」の図柄の組合せを停止させないときは、駆動制御基板２９Ａ〜２９Ｃは、回転体２１の停止時にモータ２３Ａ〜２３Ｃを制御し、「７」の図柄がラインＬ上に停止しないように制御する。例えば、「７」の図柄がラインＬ上を通過する瞬間にストップボタン４１Ａ〜４１Ｃが操作されたときは、「７」の図柄が表示された画像表示装置２２がラインＬよりも下側に停止し、「７」以外の図柄が表示された画像表示装置２２がラインＬ上に停止しないように制御する。
【００４３】
これに対し、抽選の結果、「７」−「７」−「７」を停止させることができるときは、駆動制御基板２９Ａ〜２９Ｃは、回転体２１の停止時にモータ２３Ａ〜２３Ｃを制御し、「７」の図柄がラインＬ上に停止するように制御する。例えば、ストップボタン４１Ａ〜４１Ｃが操作された瞬間から回転体２１が停止するまでの移動図柄数が、その図柄を含めて２図柄以内に設定されていると仮定する。この場合には、「７」の図柄がラインＬの１つ上を通過する瞬間にストップボタン４１Ａ〜４１Ｃが操作されたときは、停止時に１図柄だけ移動制御し、「７」の図柄が表示された画像表示装置２２がラインＬ上に停止するように制御する。
【００４４】
また、本実施形態の遊技機においては、制御基板５０が、回転体２１の回転の制御（駆動制御基板２９Ａ〜２９Ｃの制御）と、バックライト２２ａＡ〜２２ａＣを含む画像表示装置２２Ａ〜２２Ｃによる画像表示（画像表示制御基板２５Ａ〜２５Ｃの制御）とを同時に行うことができる。
【００４５】
したがって、例えば、スタートボタン４０が操作された旨の信号が制御基板５０に入力されたときには、回転体２１Ａ〜２１Ｃの回転と同時に、各画像表示装置２２の図柄を一瞬点滅させる（バックライト２２ａＡ〜２２ａＣへの電源の供給を一瞬だけ切断する）こと等が可能となる。また、制御基板５０により抽選が行われた結果、遊技者に不利な結果（例えば非当選）であったときは、画像表示装置２２による画像表示を変化させないが、遊技者に有利な結果、例えば「７」−「７」−「７」が停止可能となったときは、各画像表示装置２２の図柄を一瞬点滅させたり、変化させたりする演出を行うことが可能となる。
なお、上記のような制御は、毎遊技行っても良く、あるいは、抽選の結果、当選したときにだけ行っても良い。
【００４６】
（第６実施形態）
図１３は、第６実施形態における回転体２１と画像表示装置２２とを示す側面図である。第６実施形態では、略円柱形状の回転体２１に対し、平板の画像表示装置２２を６個取り付けたものを示している。
ここで、図３（ａ）に示したように、回転体２１に取り付ける画像表示装置２２の数が多くなるほど、外周形状が円形状に近づくが、図１３のように画像表示装置２２の個数が少ないときは、回転体２１は略円柱形状であるにもかかわらず、その外形は、略六角注形状となる。
そして、このままでも表示装置１０として使用が可能であるが、図１３に示すように、各画像表示装置２２上に、略偏平ドーム状の透明又は半透明のレンズ３６を装着すれば、外形を、略円柱形状に近づけることができる。
【００４７】
（第７実施形態）
図１４は、第７実施形態を示す部分断面図である。上記実施形態では、画像表示装置２２を液晶表示装置から構成し、バックライト２２ａを除く偏光フィルタ、ガラス基板、透明電極、配向膜、液晶、スペーサ、及びカラーフィルタを回転体２１の外周面上に配置し、バックライト２２ａを回転体２１の内周側に配置した。しかし、これに限らず、図１４に示すように、バックライト２２ａを含めて（画像表示装置２２の全てを）回転体２１の外周面上に配置しても良い。この場合には、回転体２１の内周側にバックライト２２ａを配置することは不要である。また、回転体２１には開口部２１ｂを形成する必要はなく、あるいは、透明又は半透明でなくても良い。
【００４８】
（第８実施形態）
図１５は、第８実施形態を示す部分断面図である。上記実施形態では、画像表示装置２２を液晶表示装置から構成した。これに対し、第８実施形態は、エレクトロルミネッセンス（ＥＬ）から構成したものである。
ここで、ＥＬには、有機ＥＬと無機ＥＬとが挙げられるが、消費電力等の観点からは、有機ＥＬの方が好ましい。また、有機ＥＬをマトリックス状に配置するとともに、有機ＥＬ素子ごとに駆動手段（ＴＦＴ）を設けたアクティブマトリックス形式が好ましい。
【００４９】
さらに、ＥＬの基材（ベース）としては、ガラス基板が用いられるが、この場合の画像表示装置２２は、平板状となり、図１４に示したように回転体２１に取り付けられる。
これに対し、プラスチックフィルム上に有機薄膜トランジスタ（ＴＦＴ）と有機ＥＬ素子を集積化して、可撓性（柔軟性）を有するように形成したものであっても良い。
このように形成した場合には、図１５に示すように、回転体２１の外周面において、回転体２１の曲率と略同一の曲率に変形させて回転体２１に貼付することができ、回転体２１への画像表示装置２２の配置後も、外形が略円柱形状となり、画像が見やすいものとなる。
なお、ＥＬは、自発光であるので、上記実施形態のようにバックライトは不要である。また、ＥＬは、液晶よりも薄く、視野角が広いので、表示装置として好ましい。
【００５０】
また、画像表示装置２２が液晶表示装置からなる場合であっても、その液晶表示装置を可撓性を有するように形成し、図１５と同様に貼付しても良い。
さらにまた、画像表示装置２２の全体又は少なくとも下面を、回転体２１の外周面と略同一の曲率を有するように形成し、その画像表示装置２２を回転体２１の外周面に貼付すれば、貼付後は、図１５の形状と同様にすることができる。
【００５１】
（その他の実施形態）
（１）画像表示装置２２として、液晶表示装置やＥＬ表示装置の他に、例えば発光ダイオード、蛍光管、蛍光灯、白熱球その他の発光素子を、縦横に並べて配置したドット表示装置を用いても良い。
（２）画像表示装置２２として、反射型又は半透過型の液晶表示装置を用いても良い。この場合には、バックライト２２ａは不要となる。また、反射型又は半透過型の液晶表示装置を用いる場合には、画像表示装置２２から所定距離離れた位置に光源を設けることが好ましい。
（３）回転体２１の配置として、図１に示した縦置き、図６に示した横置きの他、斜めに配置することも可能である。
【００５２】
（４）表示装置１０の外側（上側、下側、左側、又は右側のうち、少なくとも１か所）に、他の画像表示装置（液晶表示装置、ＥＬ表示装置、又はドット表示装置）を配置したり、あるいは、他の回転体（図柄を表示（印刷）したもの、あるいは本実施形態のように外周面に画像表示装置を取り付けたもの）を配置しても良い。そして、第５実施形態のように遊技機に適用した場合に、これらの他の画像表示装置や他の回転体について、表示装置１０と連動させた演出を行うように制御することも可能である。
【図面の簡単な説明】
【００５３】
【図１】第１実施形態における表示装置の一部の構成を示す図であり、（ａ）は外観図、（ｂ）は回転体の内部が見えるように図示した正面図である。
【図２】回転体と画像表示装置等を分解して示す斜視図である。
【図３】バックライトの形状を示す側面の断面図である。
【図４】表示装置の電源や基板等の配置を示す正面の断面図である。
【図５】表示装置のブロック図である。
【図６】表示装置の配置例を示す図である。
【図７】画像表示装置を回転体に取り付けるときの第２実施形態を示す図である。
【図８】１枚のシートに画像表示装置を形成したときの画像表示装置の配線を示す図である。
【図９】１枚のシートに画像表示装置を形成したときの画像表示装置の配線を示す図である。
【図１０】電線の配線を示す図である。
【図１１】３つの表示装置を並設した図である。
【図１２】第５実施形態のブロック図を示す図である。
【図１３】第６実施形態における回転体と画像表示装置とを示す側面図である。
【図１４】第７実施形態を示す部分断面図である。
【図１５】第８実施形態を示す部分断面図である。
【符号の説明】
【００５４】
１０  表示装置
２１  回転体
２１ｂ  開口部
２２  画像表示装置
２２ａ  バックライト
２３  モータ
２５  画像表示制御基板
【図１】
2009183492.tif 000003
【図２】
2009183492.tif 000004
【図３】
2009183492.tif 000005
【図４】
2009183492.tif 000006
【図５】
2009183492.tif 000007
【図６】
2009183492.tif 000008
【図７】
2009183492.tif 000009
【図８】
2009183492.tif 000010
【図９】
2009183492.tif 000011
【図１０】
2009183492.tif 000012
【図１１】
2009183492.tif 000013
【図１２】
2009183492.tif 000014
【図１３】
2009183492.tif 000015
【図１４】
2009183492.tif 000016
【図１５】
2009183492.tif 000017